(57)【特許請求の範囲】
【請求項１】
シャッターカーテンを繰り出し、巻き取るために軸方向両端部が保持部材で回転自在に保持される巻取軸の軸方向途中部を支持部材で支持する方法であって、
前記保持部材は建物躯体に取り付けられているとともに、前記支持部材はこの建物躯体に結合される取付体にブラケットを介して取り付けられ、
このブラケットを除く前記取付体を前記建物躯体に取り付けた後、前記巻取軸を保持させる前の前記保持部材の間にこの巻取軸を想定した巻取軸想定部材を前記保持部材の間に架設することにより、この巻取軸想定部材で判明する前記巻取軸支持位置と対応する前記取付体の位置に印を設け、この後、前記取付体におけるこの印と、前記支持部材を支持した前記ブラケットに設けた印とを一致させて前記取付体にこのブラケットを固定することにより、前記巻取軸想定部材により判明する前記軸方向途中部における前記支持部材による巻取軸支持位置に前記支持部材を配置することを特徴とする建物用シャッター装置の巻取軸支持方法。
【請求項２】
請求項１に記載の建物用シャッター装置の巻取軸支持方法において、前記巻取軸想定部材は紐状部材であることを特徴とする建物用シャッター装置の巻取軸支持方法。
【請求項３】
請求項１又は２に記載の建物用シャッター装置の巻取軸支持方法において、前記支持部材は、前記巻取軸の軸方向に延びる外面を有していることを特徴とする建物用シャッター装置の巻取軸支持方法。
【請求項４】
請求項３に記載の建物用シャッター装置の巻取軸支持方法において、前記支持部材は、前記巻取軸の直径方向に離間した複数個あることを特徴とする建物用シャッター装置の巻取軸支持方法。
【請求項５】
請求項４に記載の建物用シャッター装置の巻取軸支持方法において、前記複数個の支持部材を支持した前記ブラケットは前記取付体に対して回動自在となっており、前記取付体における前記印と、前記ブラケットに設けた前記印とを一致させることは、前記ブラケットを前記取付体に対して回動させることにより行われることを特徴とする建物用シャッター装置の巻取軸支持方法。
【請求項６】
請求項１〜５のいずれかに記載の建物用シャッター装置の巻取軸支持方法において、前記支持部材はローラであることを特徴とする建物用シャッター装置の巻取軸支持方法。
【発明の詳細な説明】
【０００１】
【発明の属する技術分野】
本発明は、建物用シャッター装置のシャッターカーテンを繰り出し、巻き取るための巻取軸を軸方向途中部で支持する方法及びその支持装置に係り、例えば、防災用シャッター装置や、出入口を開閉するための出入口用シャッター装置等に利用できるものである。
【０００２】
【背景技術】
巻き取りタイプの建物用シャッター装置における巻取軸は、軸方向両端部が建物躯体に取り付けられた保持部材で回転自在に保持され、この巻取軸の正逆回転によりシャッターカーテンの繰り出し、巻き取りがなされる。このような巻き取りタイプの建物用シャッター装置のなかに防火、防煙のための防災用シャッター装置がある。
【０００３】
この防災用シャッター装置が、火災発生時に建物内の大開口をシャッターカーテンで閉鎖して防災区画を形成するための大開口用シャッター装置である場合には、巻取軸が長くなる。このようなシャッター装置では、巻取軸及びこれに巻かれているシャッターカーテンの自重による巻取軸の撓み量が大きくなり、シャッターカーテンの円滑な繰り出し、巻き取りが困難になるおそれがある。このような問題をなくすため、巻取軸の軸方向途中部をローラ等による支持部材で上向きに支持するようにした支持装置が提案されている。
【０００４】
【発明が解決しようとする課題】
ローラ等による支持部材によって巻取軸の軸方向途中部を支持するためには、巻取軸に対する支持部材の位置を正確に設定しなければならない。しかし、巻取軸は円柱状であるため、この設定作業は面倒で手間がかかるものとなる。また、支持部材は取付体に取り付けられ、この取付体は、巻取軸の軸方向両端部を回転自在に保持するための前記保持部材が取り付けられている建物躯体に結合され、この建物躯体の表面は平坦になっていない場合が多い。このような場合には、建物躯体に取付体を結合し、この取付体に支持部材を取り付けて巻取軸の軸方向途中部を支持部材で支持しようとしても、巻取軸に対する支持部材の位置を正確に設定することは困難である。
【０００５】
また、支持部材がローラ等のように巻取軸の軸方向に延びる外面を有するものである場合には、支持部材で巻取軸を所定どおり上向き支持するために支持部材を巻取軸に正確に線接触させなければならないが、このように支持部材の線接触で巻取軸を支持するためには、巻取軸に対する正確な支持部材の位置設定作業が行わなければならない。さらに、支持部材を巻取軸に線接触させるためには、巻取軸に対する支持部材自身の姿勢を正確に設定しなければならず、これは難しい作業となる。そして、支持部材を巻取軸の直径方向に離間させて複数個配置し、これらの支持部材を巻取軸に線接触させて巻取軸を支持するようにした場合には、それぞれの支持部材について巻取軸に対する姿勢を正確に設定する作業を行わなければならず、この正確な設定作業は面倒で困難である。
【０００６】
このため、従来では、支持部材によって巻取軸の軸方向途中部を予定したとおりに支持することは難しかった。
【０００７】
本発明の目的は、支持部材によって巻取軸の軸方向途中部を予定したとおりに支持できるようになる建物用シャッター装置の巻取軸支持方法及びその装置を提供するところにある。
【０００８】
【課題を解決するための手段】
本発明に係る建物用シャッター装置の巻取軸支持方法は、シャッターカーテンを繰り出し、巻き取るために軸方向両端部が保持部材で回転自在に保持される巻取軸の軸方向途中部を支持部材で支持する方法であって、前記巻取軸を保持させる前の前記保持部材の間にこの巻取軸を想定した巻取軸想定部材を架設し、この後、前記巻取軸想定部材により判明する前記軸方向途中部における前記支持部材による巻取軸支持位置に前記支持部材を配置することを特徴とするものである。
【０００９】
この巻取軸支持方法によると、巻取軸の軸方向両端部を保持する前の保持部材の間に巻取軸を想定した巻取軸想定部材を架設することにより、巻取軸想定部材で判明する巻取軸軸方向途中部における支持部材による巻取軸支持位置に支持部材を配置するため、支持部材は巻取軸と正確に対応した位置に配置されることになり、保持部材に巻取軸の軸方向両端部を保持させたとき、支持部材によって巻取軸の軸方向途中部を予定したとおりに上向き支持できることになる。
【００１０】
この巻取軸支持方法において、支持部材は、保持部材が建物躯体に取り付けられている場合にはこの建物躯体に直接取り付けてもよく、この建物躯体に結合した取付体に取り付けてもよく、また、巻取軸の軸方向に２個設けられている保持部材の間に取付部材を架設し、この取付部材に支持部材を配置してもよい。
【００１１】
保持部材が建物躯体に取り付けられ、この建物躯体に結合される取付体に支持部材を取り付ける場合には、この取付体の少なくとも一部を建物躯体に取り付けた後、前記巻取軸想定部材を保持部材の間に架設することにより、この巻取軸想定部材で判明する巻取軸支持位置と対応する取付体の位置に印を設け、取付体におけるこの印との対応位置に支持部材を取り付けるようにしてもよい。
【００１２】
これによると、支持部材を配置すべき位置を印によって明確化することができ、この印によって指示される取付体の位置に支持部材を取り付ければよいため、支持部材の所定位置への配置作業を簡単かつ正確に行えるようになる。
【００１３】
以上の巻取軸支持方法において、前記巻取軸想定部材は、巻取軸の軸方向に２個配置される保持部材の間に架設できて前記巻取軸支持位置を決めることができるものであれば、任意な形状、構造のものでよく、例えば、水糸等の紐やワイヤーを含む紐状部材でもよく、棒状部材でもよい。
【００１４】
しかし、巻取軸想定部材を紐状部材とすると、軽量で折り畳み自在になるため、建物用シャッター装置の施工現場への運搬、施工現場での取り扱い等が容易になるという効果を得られる。
【００１５】
本発明に係る建物用シャッター装置の巻取軸支持装置は、シャッターカーテンを繰り出し、巻き取るために軸方向両端部が建物躯体に取り付けられた保持部材で回転自在に保持される巻取軸の軸方向途中部を支持部材で支持する装置であって、前記支持部材が、前記建物躯体に結合されている取付体に前記巻取軸と対応した姿勢となるように変位自在に取り付けられていることを特徴するものである。
【００１６】
この巻取軸支持装置によると、支持部材は、建物躯体に結合されている取付体に巻取軸と対応した姿勢となるように変位自在に取り付けられているため、軸方向両端部が保持部材で回転自在に保持された巻取軸の姿勢が本来の姿勢に対して誤差のあるものとなっていても、支持部材はこの巻取軸の軸方向途中部を支持するときに巻取軸に自ずと倣った姿勢となり、巻取軸を予定したとおりに上向き支持することになる。
【００１７】
取付体に対する支持部材の変位自在の方向は、巻取軸に生ずるおそれのある姿勢誤差の方向に応じて決められ、巻取軸の軸方向が横方向である場合に垂直軸を中心とした回動方向でもよく、横方向と直角をなす水平軸を中心とした回動方向でもよく、これらの両方でもよい。
【００１８】
以上の本発明に係る建物用シャッター装置の巻取軸支持方法と、建物用シャッター装置の巻取軸支持装置は、それぞれ独立した単独の発明として実施することもでき、同じ建物用シャッター装置に同時に適用される組み合わせの発明としても実施できる。
【００１９】
また、本発明に係る建物用シャッター装置の巻取軸支持方法と建物用シャッター装置の巻取軸支持装置の両方において、支持部材は、ローラ等のように、巻取軸の軸方向に延びかつ巻取軸の直径方向には湾曲した外面を有していて巻取軸に線接触するものでもよく、板状部材のように、巻取軸の軸方向に延びかつこの軸方向と巻取軸の直径方向とに平坦となった外面を有していて巻取軸に線接触するものでもよく、球状部材のように巻取軸に点接触するものでもよく、巻取軸の周面と対応した湾曲凹部を有していて巻取軸に面接触するものでもよく、支持部材の外形形状は任意である。また、支持部材を巻取軸に線接触、面接触するものとする場合には、その巻取軸軸方向の長さは任意である。さらに、支持部材を巻取軸の周面と対応した湾曲凹部を有していて巻取軸に面接触するものとした場合には、この支持部材を回転時等における巻取軸の振れを抑える振れ防止部材を兼ねるものとしてもよい。
【００２０】
また、支持部材は巻取軸と共に回転するローラ等の回転体でもよく、回転しない不動体でもよい。
【００２１】
さらに、支持部材の個数は１個でもよいが、巻取軸の直径方向に離間した複数個でもよく、巻取軸の軸方向に離間した複数個でもよく、これらの方向のそれぞれに支持部材を複数個設けてもよい。
【００２２】
支持部材の個数を巻取軸の直径方向に離間した複数個とすると、巻取軸を複数箇所で分散して支持できるとともに、直径方向への巻取軸のふらつきをこれらの支持部材によって有効に防止できることになる。
【００２３】
また、本発明に係る建物用シャッター装置の巻取軸支持装置において、支持部材の個数を複数個とする場合には、それぞれの支持部材を前記取付体に個別に変位自在に取り付けてもよく、これらの支持部材を取付体に一体となって変位自在となるように取り付けてもよい。しかし、前者によると、それぞれの支持部材の姿勢を巻取軸に正確に対応させることができるため、前者を採用することが好ましい。
【００２４】
また、本発明に係る建物用シャッター装置の巻取軸支持方法及びその装置において、支持部材を巻取軸の直径方向に離間した複数個とするとともに、これらの支持部材を巻取軸の軸方向に延びる外面を有するものとする場合には、これらの支持部材の間に巻取軸と面接触する布、ゴム、合成樹脂等からなる可撓性シート状部材を架設してもよい。
【００２５】
これによると、巻取軸は可撓性シート状部材の面によって支持されるため、単位面積当たりの支持荷重を軽減できる。なお。可撓性シート状部材は巻取軸と共に回転するものでもよく、回転しないものでもよい。回転するものとする場合には、可撓性シート状部材を回転ベルトのように無端のものとする。
【００２６】
また、支持部材を巻取軸に直接接触させて巻取軸の支持を行う場合であって、支持部材の少なくとも表面が金属等の硬質材料からなる場合には、この硬質材料を巻取軸に接触させてもよいが、支持部材の表面に軟質合成樹脂によるコーティングや布巻き、テープ巻き等を行うことにより、支持部材の少なくとも巻取軸と接触する部分を軟質又は弾性特性を有するものとすることが好ましい。これによると、巻取軸及びこの巻取軸に巻き取られるシャッターカーテンが損傷するのを防止できることになる。
【００２７】
また、本発明に係る建物用シャッター装置の巻取軸支持方法及びその装置において、支持部材による巻取軸の軸方向途中部の支持は巻取軸の大きな撓みを防止し、巻取軸からのシャッターカーテンの円滑な繰り出し、巻き取りを実行できるようにするためであるから、これを実現できれば、支持部材による巻取軸の軸方向途中部の支持は、横方向に延びる巻取軸の両端部の高さ位置よりこの軸方向途中部の高さ位置が低くなるようにして行ってもよく、これらの高さ位置が同じになるようにして行ってもよく、巻取軸の両端部の高さ位置より軸方向途中部の高さ位置が高くなるようにして行ってもよい。
【００２８】
また、本発明に係る建物用シャッター装置の巻取軸支持装置は、巻取軸の軸方向の１箇所だけに設けてもよく、複数箇所に設けてもよい。
【００２９】
また、本発明が適用される建物用シャッター装置は巻取軸が１本だけのものでもよく、複数の巻取軸が軸心を一致させて軸方向に直列的に配置された又は隣接する巻取軸が端部同士の重なり代を有するずれをもって直列的に配置された連装式のものでもよく、また、複数の巻取軸が屈曲配置されたものでもよい。
【００３０】
本発明が適用される建物用シャッター装置が複数の巻取軸を有するものである場合には、軸方向途中部を支持部材で支持される巻取軸は、これらの巻取軸のうちの一本だけでもよく、複数本でもよく、全部でもよい。
【００３１】
また、本発明に係る建物用シャッター装置が、巻取軸に隣接して補助軸が巻取軸と平行に配設され、この補助軸にシャッターカーテンを掛けることにより、巻取軸から繰り出され、巻き取られるシャッターカーテンの方向転換が補助軸でなされるようになっているシャッター装置である場合には、支持部材による軸方向途中部の上向き支持は、巻取軸だけについて行ってもよく、巻取軸と補助軸の両方について行ってもよい。巻取軸と補助軸の両方について行う場合には、巻取軸と補助軸の上向き支持のために設けるそれぞれの支持部材を同じ取付体に配置してもよく、それぞれ別の取付体に配置してもよい。
【００３２】
さらに、本発明に係る建物用シャッター装置には、前述した支持部材だけではなく、例えば、巻取軸の軸芯の高さ位置と同じ又はこれよりも高い位置に配置され又はこれらの位置に亘る巻取軸周方向長さを有して巻取軸に面接触する部分を有し、回転時等における巻取軸の振れを抑えたり巻取軸に巻き取られたシャッターカーテンの巻きくずれを防止するための押さえ部材を設けてもよい。また、このような押さえ部材は、支持部材が取り付けられている取付体が兼ねるようにしてもよい。
【００３３】
また、本発明が適用される建物用シャッター装置は、防災用シャッター装置でもよく、住宅やビル、工場、倉庫等の建物における窓、出入口等の開口部を開閉するためのシャッター装置でもよく、任意な種類のシャッター装置に本発明を適用できる。
【００３４】
さらに、巻取軸から繰り出され、巻き取られるシャッターカーテンは、布や塩化ビニル等の合成樹脂によるシートで形成されたものでもよく、スラットで形成されたものでもよく、パネルで形成されたものでもよく、リンクで連結されたパイプで形成されたものでもよく、ネットで形成されたものでもよく、また、これらのうちの少なくとも２つの種類の複合からなるものでもよい。
【００３５】
さらに、巻取軸からの繰り出し、巻き取りによるシャッターカーテンの移動方向は、上下方向でもよく、水平方向でもよく、これらの方向に対して傾き角度をもった方向でもよい。
【００３６】
【発明の実施形態】
以下に本発明の実施形態を図面に基づいて説明する。図１は、本実施形態に係る建物用シャッター装置の全体を示す正面図であり、このシャッター装置は、火災発生時に建物内に防災区画を形成するための大開口用の防災用シャッター装置である。
【００３７】
この防災用シャッター装置の巻取軸１は、天井部材２で室内空間３から仕切られた天井裏空間４に横方向を軸方向にして配置され、巻取軸１の軸方向両端部は保持部材であるブラケット５で回転自在に保持されている。これらのブラケット５は、天井裏空間４に存在する建物躯体６に結合されている。巻取軸１には、下端が座板７となったシャッターカーテン８の上端部が連結されており、ガラスクロス又はシリカクロスにより又はこれに耐火塗料を塗布して形成されているシャッターカーテン８は、平常時には巻取軸１に巻き取られている。巻取軸１の正逆回転により巻取軸１からのシャッターカーテン８の繰り出し、巻き取りがなされ、シャッターカーテン８の幅方向両端部は、室内空間３の左右両側に形成されている柱、壁等の建物躯体９に取り付けられているガイドレール１０に抜け止め部材で抜け止めされて摺動自在に挿入されているため、巻取軸１の正逆回転によって天井部材２に形成されているまぐさを通過して閉鎖、開放の上下動を行うシャッターカーテン８の移動は、これらのガイドレール１０で案内されて行われる。
【００３８】
左右一対のブラケット５のうち一方のブラケット５には、モータとブレーキの組み合わせからなる開閉機１１が取り付けられ、この開閉機１１は巻取軸１と伝動手段１２を介して連結されている。火災発生により図示しない手動レバーを操作することにより、又は図示しないセンサが煙あるいは熱等を検出することにより、開閉機１１のブレーキが解除され、これによりシャッターカーテン８は自重で巻取軸１を回転させながら下降する。
【００３９】
そして、軸方向両端部がブラケット５で回転自在に保持されている巻取軸１は、図１のＳ２−Ｓ２線断面図である図２に示されているように、シャッターカーテン８の繰り出し、巻き取りがなされる側縁部１Ａが建物躯体６側に向いている。
【００４０】
巻取軸１の軸方向途中部、図１の本実施形態では、巻取軸１の長さを三等分する軸方向２箇所には、巻取軸１を上向きに支持するための支持部材が取り付けられた取付体２０が配置されており、これらの取付体２０の構造は同じで、取付体２０の全体側面図は図２に示され、分解図は図３に示されている。
【００４１】
図２及び図３で示すように、取付体２０は、建物躯体６に取り付けられる第１取付部材２１と、第１取付部材２１に結合される第２取付部材２２と、第２取付部材２２に結合される第３取付部材２３とからなる。建物躯体６への第１取付部材２１の取り付けは、図２に示すように建物躯体６に基部が埋設されたボルト２４を図３に示された第１取付部材２１の垂直延出部２１Ａの孔２５に挿入してナット２６を螺合することにより、行われる。また、第１取付部材２１への第２取付部材２２の結合は、図３で示された第１取付部材２１の水平延出部２１Ｂの孔２７と第２取付部材２２の水平延出部２２Ａの孔２８とに図２で示すボルト２９を挿入してナット３０を螺合することにより、行われる。また、第２取付部材２２への第３取付部材２３の結合は、図３で示された第２取付部材２２の垂直延出部２２Ｂの孔３１と第３取付部材２３の垂直延出部２３Ａの孔３２とに図２で示すボルト３３を挿入してナット３４を螺合することにより、行われる。
【００４２】
図３に示されているとおり、第３取付部材２３の水平延出部２３Ｂは、第１及び第２取付部材２１，２２の垂直延出部２１Ａ、２２Ｂ、水平延出部２１Ｂ，２２Ａと同じく、平行に延びる一対あり、垂直延出部２３Ａの下端から巻取軸１側延びるこれらの水平延出部２３Ｂには、第３取付部材２３の平面図を示す図４に示されているように、ブラケット４０が架設固定されている。このブラケット４０には、巻取軸１の軸方向途中部を上向きに支持するための支持部材になっている２本のローラ４１が回転自在に保持され、軸方向が巻取軸１の軸方向と平行になっているこれらのローラ４１は、ローラ４１による巻取軸１の上向き支持後を示している図２のとおり、巻取軸１の直径よりも小さい間隔でこの直径方向に離間配置されている。
【００４３】
なお、巻取軸１と２個のローラ４１のそれぞれの軸心を結ぶことにより形成される三角形が二等辺三角形となるようにし、特に、頂角が６０度の二等辺三角形となるようにすることが好ましい。また、ローラ４１の直径は、巻取軸１の直径や、巻取軸１でのシャッターカーテン８の最大巻径等に応じて任意に設定してよい。
【００４４】
第３取付部材２３の水平延出部２３Ｂへのブラケット４０の固定は、図４に示すブラケット４０に形成された孔４２と水平延出部２３Ｂに形成されている孔とに図２で示すボルト４３を挿入してナット４４を螺合することにより、行われる。
【００４５】
以上において、図３に示すように、第２取付部材２２の垂直延出部２２Ｂの孔３１は垂直方向に長い長孔であるため、取付体２０におけるローラ４１の位置をこの垂直方向に調整できる。また、図４に示すように、ブラケット４０の孔４２は、２本のローラ４１の間の中央位置におけるローラ４１の長さ方向中央部を中心部とした円弧状長孔となっているため、ブラケット４０及びローラ４１の位置は、この中心部を中心とする水平面内の回動方向に調整自在となっている。
【００４６】
また、図２及び図３に示すように、ブラケット４０の巻取軸軸方向の両端部に形成されている側面部４０Ａには印４５が設けられ、これらの印４５は、ブラケット４０に保持されている２本のローラ４１の間の中央位置に表示されている。
【００４７】
次ぎに、取付体２０に取り付けられるローラ４１によって巻取軸１の軸方向途中部を支持する作業を説明する。先ず、図１で示した天井部材２を施工する前に、図５に示すように、巻取軸１の両端部を保持するための左右２個のブラケット５を建物躯体６の所定位置に取り付け、また、第１，第２，第３取付部材２１，２２，２３で構成され、ローラ４１を保持したブラケット４０が第３取付部材２３に固定される前の２個の取付体２０のそれぞれを建物躯体６の所定位置に結合する。この後、巻取軸想定部材である紐４６を左右のブラケット５の間に緊張させて架設する。この架設作業は、ブラケット５における紐４６の位置をブラケット５における巻取軸１の軸心の位置と一致させて行う。次いで、それぞれの取付体２０の第３取付部材２３における左右一対の水平延出部２３Ｂでの紐４６と一致する位置に、図２で示す印４７をケガキ作業等で設ける。
【００４８】
この後、紐４６を取り外すとともに、それぞれの取付体２０を構成する部材のうち、少なくとも第３取付部材２３を取り外し、そして、第３取付部材２３の左右一対の水平延出部２３Ｂにローラ４１を保持したブラケット４０を架設し、このブラケット４０をボルト４３、ナット４４で水平延出部２３Ｂに固定する。この固定作業は、ナット４４を締め付ける前に図４の円弧状長孔４２によりブラケット４０を水平面内で回動させ、これにより、ブラケット４０の両方の側面部４０Ａに設けた印４５と、第３取付部材２３の左右一対の水平延出部２３Ｂに設けた印４７とを一致させてから行う。また、巻取軸１をチェーンブロック等の持ち上げ手段により天井裏空間４に持ち上げ、巻取軸１の軸方向両端部を左右のブラケット５の所定位置に回転自在に保持させる。
【００４９】
この後、取付体２０を構成する部材のうち、取り外されていた部材の取付作業を行い、取付体２０を再組み立てする。
【００５０】
以上の作業が終了したときには、２本のローラ４１を保持したブラケット４０は、ブラケット４０の両方の側面部４０Ａに設けた印４５と、紐４６によって示される位置にしたがって第３取付部材２３の一対の水平延出部２３Ｂに設けた印４７とを一致させて取付体２０の第３取付部材２３に固定されているため、２本のローラ４１は取付体２０における所定の巻取軸支持位置に配置されていることになる。このため、巻取軸１の軸方向途中部は、巻取軸１の直径方向に離間した２本のローラ４１で所定どおり上向きに支持され、それぞれのローラ４１は巻取軸１に線接触する。
【００５１】
このため、天井部材２の施工作業等の全部の作業が終了した後、巻取軸１を回転させてシャッターカーテン８の繰り出し、巻き取りを行うとき、巻取軸１及びシャッターカーテン８の自重は取付体２０のローラ４１で支持されるから、巻取軸１が大きく撓むことはなく、シャッターカーテン８の繰り出し、巻き取りを円滑に行える。
【００５２】
また、取付体２０の第２取付部材２２は、図２に示されているように、シャッターカーテン８の繰り出し、巻き取りがなされる巻取軸１の側端部１Ａとは反対側に配置されているため、巻取軸１の正逆回転によるシャッターカーテン８の繰り出し、巻き取りを所定どおり行える。
【００５３】
なお、前述したように取付体２０の再組み立てを行ったときにローラ４１の高さ位置に巻取軸１からのずれがあった場合には、図３で示されている第２取付部材２２の長孔３１によってこのずれを解消する。
【００５４】
また、前述したように巻取軸１の軸方向途中部をローラ４１で上向きに支持する作業は、巻取軸１にシャッターカーテン８を巻き取った後（シャッターカーテンの巻き取り途中状態を含む）に行ってもよく、巻き取る前に行ってもよい。
【００５５】
以上説明した実施形態によると、巻取軸１の軸方向途中部を支持するためのローラ４１の配置位置を、左右のブラケット５の間に架設された紐４６によって判明する位置とし、この紐４６は、左右のブラケット５に架設される巻取軸１を想定した巻取軸想定部材であるため、紐４６によって判明する位置はローラ４１を配置すべき巻取軸支持位置と正確に対応する位置となる。このため、ブラケット５や取付体２０が取り付けられる建物躯体６の表面が平坦ではなく、したがって建物躯体６に取り付けられた後のブラケット５や取付体２０が正しく取り付けられていなくても、ローラ４１を、巻取軸１を上向き支持できる予定したとおりの位置に配置できる。
【００５６】
そして、ローラ４１は、巻取軸１の軸方向に延びかつ巻取軸１の直径方向には湾曲した外面を有しているが、このローラ４１を巻取軸１に正確に線接触させることができ、この線接触を巻取軸１の直径に離間して配置された２本のローラ４１について実現できる。このため、巻取軸１及び巻取軸１に巻かれているシャッターカーテン８の重量をローラ４１に確実に支持させることができる。
【００５７】
また、本実施形態では、紐４６によって判明する巻取軸支持位置と対応する第３取付部材２３における位置に印４７を設け、この印４７と、ローラ４１を保持するブラケット４０の印４５とを一致させてブラケット４０を第３取付部材２３に結合するため、印４７によってブラケット４０の配置位置、言い換えるとローラ４１を配置するための巻取軸支持位置が明確になり、第３取付部材２３へのローラ４１の配置作業を簡単かつ正確に行えるようになる。
【００５８】
また、左右のブラケット５の間に架設される巻取軸想定部材は、軽量で折り畳み自在な紐４６であるため、建物用シャッター装置の施工現場への運搬、施工現場での取り扱い等が容易になる。
【００５９】
次ぎに本発明の各実施形態に係る巻取軸支持装置を説明する。なお、これから説明する各実施形態の巻取軸支持装置でも、正逆回転によりシャッターカーテン８の繰り出し、巻き取りを行う巻取軸１の軸方向両端部は、建物躯体６に取り付けられた保持部材であるブラケットに回転自在に保持されている。
【００６０】
図６は第１実施形態に係る巻取軸支持装置を示す図で、図２と同様の図である。建物躯体６に結合されている取付体５０は、前述した取付体２０の第１部材２１及び第２取付部材２２と、取付体２０の第３取付部材２３よりも垂直方向の長さが長い第３取付部材５３とからなる。この第３取付部材５３の建物躯体６側へ延びる左右一対の水平延出部５３Ｂ上に、２本のローラ６１が巻取軸１の直径方向に離間して配置されている。これらのローラ６１の水平延出部５３Ｂ上への配置は、それぞれのローラ６１毎に用意されている第１揺動部材７１と第２揺動部材７２とブラケット７３とを介して行われている。
【００６１】
下から上へ順に重ねられている第１揺動部材７１、第２揺動部材７２、ブラケット７３は、図６のＳ７−Ｓ７線断面図である図７に示すとおり、第３取付体５３の左右一対の水平延出部５３Ｂに亘る長さを有している。左右一対の水平延出部５３Ｂに架設固定された第１揺動部材７１に対して第２揺動部材７２は、これらの揺動部材７１，７２の長さ方向中央部に設けられた水平軸７４を中心に上下に揺動自在に取り付けられ、この水平軸７４は、巻取軸１の軸方向と直交する水平方向を軸方向とするものである。また、第２揺動部材７２に対してブラケット７３は、これらの第２揺動部材７２とブラケット７３の長さ方向中央部に設けられた垂直軸７５を中心に揺動自在に取り付けられている。このブラケット７３にローラ６１が回転自在に保持されている。
【００６２】
このため、ローラ６１の姿勢は、水平軸７４を中心する回動方向と垂直軸７５を中心とする回動方向とに変位自在となっている。
【００６３】
巻取軸１をチェーンブロック等の持ち上げ手段で天井裏空間４に持ち上げて図１で示された左右のブラケット５に巻取軸１の軸方向両端部を回転自在に保持させる作業を行うときには、取付体５０を構成する部材のうち、少なくとも第３取付部材５３の第２取付部材２２への結合はまだ行わない。巻取軸１の軸方向両端部をブラケット５に保持させた後、第３取付部材５３を第２取付部材２２にボルト３３、ナット３４で結合し、この結合作業は、第２取付部材２２に形成されている図３の長孔３１により、２本のローラ６１の高さ位置が巻取軸１と対応する高さ位置となるように調整した後に行う。
【００６４】
なお、このときに２本のローラ６１間の中央位置が巻取軸１の軸心位置と一致しないおそれがある場合には、図３で示されている第１取付部材２１の孔２７と第２取付部材２２の孔２８とのうちの少なくとも一方を水平方向に長い長孔とすることにより、２本のローラ６１間の中央位置を巻取軸１の軸心位置と一致させるようにすればよい。
【００６５】
また、以上の作業を行ったときには、巻取軸１にシャッターカーテン８を巻き取っておいてもよく、巻き取っておかなくてもよく、巻き取り途中でもよい。
【００６６】
以上の作業を行ってそれぞれのローラ６１を巻取軸１に当てると、巻取軸１の姿勢に水平軸を中心とする回動方向への誤差がある場合には、それぞれのローラ６１は水平軸７４を中心に自ずと回動して巻取軸１の姿勢に倣うことになり、また、巻取軸１の姿勢に垂直軸を中心とする回動方向への誤差がある場合には、それぞれのローラ６１は垂直軸７５を中心に自ずと回動して巻取軸１の姿勢に倣うことになる。
【００６７】
すなわち、ローラ６１の姿勢は巻取軸１の誤差のある姿勢に自ずと追従したものとなり、それぞれのローラ６１は巻取軸１に所定どおり線接触することになる。
【００６８】
図８は第２実施形態の巻取軸支持装置を示す。この装置は、第３取付部材５３の左右一対の水平延出部５３Ｂに下板部材８１を架設固定し、この下板部材８１の上に、左右一対の水平延出部５３Ｂの位置と一致させてブロック状のゴム８２を取り付け、その上に架設固定した上板部材８３にブラケット７３を載せ、このブラケット７３にローラ６１を回転自在に保持させている。ブラケット７３は、その長さ方向中央部において垂直軸８４で上板部材８３に回動自在に取り付けられている。
【００６９】
巻取軸１の直径方向に離間配置されている２本のローラ６１のそれぞれは、互いに独立して以上の下板部材８１、ゴム８２、上板部材８３、ブラケット７３、垂直軸８４により第３取付部材５３の水平延出部５３Ｂ上に配置されている。
【００７０】
この実施形態でも、それぞれのローラ６１の姿勢は、ゴム８２の上下弾性変形による水平軸を中心する回動方向と、垂直軸８４を中心とする回動方向とに変位自在となり、巻取軸１にこれらの方向への姿勢誤差があっても、それぞれのローラ６１は巻取軸１に所定どおり線接触することになる。
【００７１】
また、この実施形態によると、ローラ６１の高さ位置と巻取軸１の高さ位置とに多少の相違があっても、両方のゴム８２の弾性変形によってこの相違を吸収することができる。
【００７２】
図９は第３実施形態の巻取軸支持装置を示す。この装置は、図８のゴム８２に代えてばね９２を用いている。これによっても、図８の実施形態の装置と同じ作用効果を達成できる。
【００７３】
図１０は、これまで説明した図１〜図９の実施形態のように、２個のローラ１０１を巻取軸１の直径方向に離間配置した場合に適用できる巻取軸１の軸方向途中部の支持手段を示す。この実施形態では、２個のローラ１０１の間に無端の可撓性シート状部材１０２を回転自在に架設している。このシート状部材１０２の上面部１０２Ａは巻取軸１の下面に倣った湾曲状となって巻取軸１を上向きに支持し、巻取軸１と共に回転する。
【００７４】
この実施形態によると、巻取軸１はシート状部材１０２による面で支持されることになる。このため、巻取軸１及び巻取軸１に巻かれているシャッターカーテン８に損傷が生ずるのを有効に防止しながら、巻取軸１の軸方向途中部を支持できることになる。
【００７５】
このような巻取軸１の軸方向途中部の支持手段は、これまで説明した図１〜図９までの全部の巻取軸支持装置に適用できる。
【００７６】
図１１は、巻取軸１の軸方向途中部を上向きに支持する支持部材を、図１〜図９の実施形態と同じく、巻取軸１及びこの巻取軸１に巻かれているシャッターカーテン８に線接触するローラ１１１とした場合の実施形態である。このローラ１１１は、回転中心軸１１２上に配置された２個の軸受け部材１１３の間に金属製円筒部材１１４を架設することにより形成されているとともに、ローラ１１１の表面部材となっている円筒部材１１４には保護部材１１５が被せられている。この保護部材１１５は、例えば、軟質合成樹脂によるコーティング材、円筒部材１１５に巻いた布、テープ等によるものであって、軟質又は弾性特性を有する。
【００７７】
この実施形態によると、保護部材１１５によって巻取軸１及び巻取軸１に巻かれているシャッターカーテン８に損傷が生ずるのを有効に防止しながら、巻取軸１の軸方向途中部を支持できることになる。
【００７８】
【発明の効果】
本発明によると、支持部材によって巻取軸の軸方向途中部を予定したとおりに支持できるようになるという効果を得られる。
【図面の簡単な説明】
【図１】本発明の一実施形態に係わる防災用シャッター装置を示す正面図である。
【図２】図１のＳ２−Ｓ２線断面図である。
【図３】図２で示されている取付体の分解斜視図である。
【図４】取付体を構成する第３取付部材の平面図である。
【図５】巻取軸の軸方向両端部を保持する保持部材である左右のブラケットに巻取軸想定部材である紐を架設して取付体に印を付ける作業を示す斜視図である。
【図６】本発明の第１実施形態に係わる巻取軸支持装置を示す図２と同様の図である。
【図７】図６のＳ７−Ｓ７線断面図である。
【図８】本発明の第２実施形態に係わる巻取軸支持装置を示す図２と同様の図である。
【図９】本発明の第３実施形態に係わる巻取軸支持装置を示す図２と同様の図である。
【図１０】巻取軸の軸方向途中部を可撓性シート状部材で支持する実施形態を示す断面図である。
【図１１】巻取軸の軸方向途中部を支持する支持部材であるローラの表面に保護部材を設けた実施形態を示す断面図である。
【符号の説明】
１  巻取軸
５  保持部材であるブラケット
６  建物躯体
８  シャッターカーテン
２０，５０  取付体
４１，６１，１１１  支持部材であるローラ
４６  巻取軸想定部材である紐
４７  取付体に設けた印
１０２  可撓性シート状部材
【図１】
0004514890.tif 000002
【図２】
0004514890.tif 000003
【図３】
0004514890.tif 000004
【図４】
0004514890.tif 000005
【図５】
0004514890.tif 000006
【図６】
0004514890.tif 000007
【図７】
0004514890.tif 000008
【図８】
0004514890.tif 000009
【図９】
0004514890.tif 000010
【図１０】
0004514890.tif 000011
【図１１】
0004514890.tif 000012